(57)【要約】【課題】  遠隔地に配置された出力装置を介して提供対象者に写真を提供するシステムで、提供対象者の負担が軽減する。【解決手段】  送信元携帯電話から提供された画像データを管理装置１０が受信してデータベースサーバ１３に格納する。管理装置１０は、画像データを記憶していることを示す情報を送信先携帯電話４０に送信する。その結果、送信先携帯電話４０を使用する提供対象者が送信先携帯電話４０を用いて管理装置１０にアクセスすると、管理装置１０は、着信番号通知に基づき。送信先携帯電話４０を認証し、出力装置２０に画像データを送信し、出力装置２０が画像データに対応する写真を出力する。これにより、パスワードの入力をしなくても、提供対象者に写真が渡る。【選択図】  図１
2005285044.tif 000002
【特許請求の範囲】
【請求項１】
送信元通信端末から対象データを管理装置で受信し、該対象データを所定の形態で出力装置から出力して提供対象者に提供するデータ出力システムにおいて、
前記管理装置により、前記提供対象者の使用する送信先通信端末に設定されている固有の識別番号を前記対象データと共に受信し、該対象データを受信したことを前記送信先通信端末に通知する通知処理と、
前記送信先通信端末から前記出力装置にアクセスがあった場合に、該アクセス時に該出力装置に通知される該送信先通信端末の識別番号を該出力装置から受信し、該識別番号により該送信先通信端末を認証する認証処理と、
前記認証の結果、前記送信先通信端末からアクセスがあったことが確認された場合に、前記管理装置から出力装置に前記対象データを送信するデータ送信処理と、
前記出力装置から該対象データを所定の形態にして出力するデータ出力処理と、
を実施することを特徴とするデータ出力方法。
【請求項２】
前記出力装置は、前記管理装置に対して遠隔地に配置されていることを特徴とする請求項１に記載のデータ出力方法。
【請求項３】
前記出力装置は複数であり、
前記複数の出力装置のうちの任意数の出力装置を前記送信先通信端末に紹介する紹介処理を実施し、
前記認証処理では、前記紹介処理の結果、前記任意数の出力装置のうちから選択された出力装置に前記送信先通信端末からアクセスがあった場合に、該選択された出力装置に通知される前記識別番号により、該送信先通信端末を認証することを特徴とする請求項１又は２に記載のデータ出力方法。
【請求項４】
前記対象データは、画像を形成するための画像データであり、
前記出力装置は、前記対象データを画像化して印刷する印刷装置であることを特徴とする請求項１乃至３のいずれか１項に記載のデータ出力方法。
【請求項５】
前記対象データを所定の形態で出力した後に、前記送信元通信端末又は送信先通信端末に課金する課金処理を行うことを特徴とする請求項１乃至４のいずれか１項に記載のデータ出力方法。
【請求項６】
送信元通信端末から対象データを受信する管理装置と、該対象データを所定の形態で出力して提供対象者に提供する出力装置とを備えるデータ出力システムであって、
前記管理装置は、
前記対象データと前記提供対象者の使用する送信先通信端末に設定されている固有の識別番号とを前記送信元通信端末から受信する受信手段と、
前記対象データ及び加入者識別番号を記憶する記憶手段と、
前記対象データが存在することを前記送信先通信端末に通知する通知手段と、
前記送信先通信端末から前記出力装置にアクセスがあった場合に、該アクセス時に該出力装置に通知される該送信先通信端末の前記識別番号を該出力装置から受信し、該識別番号により該送信先通信端末を認証する認証手段と、
前記認証された送信先通信端末に前記記憶手段で記憶している前記対象データを該出力装置に送信する送信手段とを備え、
前記出力装置は、前記管理装置から送信された前記対象データを受信して所定の形態で出力する出力手段を備えることを特徴とするデータ出力システム。
【請求項７】
前記出力装置は、前記管理装置に対して遠隔地に配置されていることを特徴とする請求項６に記載のデータ出力システム。
【請求項８】
前記対象データは、画像を形成するための画像データであり、
前記出力装置は、前記対象データを画像化して印刷する印刷装置であることを特徴とする請求項６又は７に記載のデータ出力システム。
【請求項９】
送信元通信端末から、提供対象者に出力装置を介して提供するための対象データと該提供対象者が使用する送信先通信端末に設定されている固有の識別番号とを受信する手段と、
前記対象データ及び識別番号を記憶する手段と、
前記送信先通信端末に対して前記対象データが存在することを通知する手段と、
前記出力装置との交信で、前記対象データが存在することを通知した結果、該出力装置に前記送信先通信端末からアクセスがあったことを前記識別番号により確認し、確認された場合に、前記記憶している前記対象データを該出力装置に送信する手段と、
を備えることを特徴とする管理装置。
【請求項１０】
管理装置から与えられた対象データを所定の形態で出力して提供対象者に提供する出力装置であって、
前記管理装置から与えられた前記提供対象者が使用する送信先通信端末の加入者識別番号を記憶する手段と、
当該装置にアクセスがあった場合に該アクセスについて通知されるアクセス相手先の固有の識別番号を前記管理装置に送信し、前記送信先通信端末からアクセスがあったか否かを確認し、該送信先通信端末からアクセスがあったことを確認した場合にそのことを前記管理装置に通知する手段と、
前記通知の結果、前記管理装置から送信された前記対象データを受信して所定の形態で出力する手段とを備えることを特徴とする出力装置。
【発明の詳細な説明】
【技術分野】
【０００１】
本発明は、データ出力方法、データ出力システム、管理装置及び出力装置に関する。
【背景技術】
【０００２】
下記特許文献１には、デジタルカメラで撮影した画像データを画像サーバで保管し、その画像サーバから離れた場所に配置された出力装置から、画像データを写真化して取り出せるシステムが記載されている。
【特許文献１】特開平１０−１５０５２３号公報
【０００３】
特許文献１のシステムにおいて、出力装置を各地の写真店やコンビニエンスストアに配置しておくことにより、これらの写真店やコンビニエンスストアでいつでも写真を取り出すことができる。
また、特許文献１のシステムを利用することにより、デジタルカメラで撮影した画像の写真を遠隔地の知人等に渡すことも可能になる。即ち、デジタルカメラで撮影した画像データを画像サーバに保管し、知人等に写真展やコンビニエンスストアに行ってもらえば、その場所の出力装置から知人等が写真を取り出せる。
【発明の開示】
【発明が解決しようとする課題】
【０００４】
出力装置から写真を出力する場合には、写真を取り出す者の認証を行う必要がある。認証は、画像データを漏洩から守るための安全対策上の処理である。従来の一般的な認証には、パスワードが用いられる。パスワードを出力装置に入力させ、パスワードにより、これから画像データ等を出力させようとする者を確認する。しかしながら、画像データの安全性をより高めようとすると、ランダムなパスワードが必要になったり、長いパスワードが必要になる。このようなパスワードを入力することは、操作等が煩雑になると共に、入力誤り誘発する。よって、利用者に多大な負担を掛けることになる。
本発明は、利用者の負担が少ないデータ出力システムを提供することを目的とする。
【課題を解決するための手段】
【０００５】
上記目的を達成するために、本発明の第１の観点に係るデータ出力方法は、送信元通信端末から対象データを管理装置で受信し、該対象データを所定の形態で出力装置から出力して提供対象者に提供するデータ出力システムにおいて、
前記管理装置により、前記提供対象者の使用する送信先通信端末に設定されている固有の識別番号を前記対象データと共に受信し、該対象データを受信したことを前記送信先通信端末に通知する通知処理と、
前記送信先通信端末から前記出力装置にアクセスがあった場合に、該アクセス時に該出力装置に通知される該送信先通信端末の識別番号を該出力装置から受信し、該識別番号により該送信先通信端末を認証する認証処理と、
前記認証の結果、前記送信先通信端末からアクセスがあったことが確認された場合に、前記管理装置から出力装置に前記対象データを送信するデータ送信処理と、
前記出力装置から該対象データを所定の形態にして出力するデータ出力処理と、
を実施することを特徴とすることを特徴とする。
【０００６】
このような方法を講じることにより、提供対象者が送信先通信端末を用いて出力装置にアクセスすると、送信先通信端末の識別番号に基づいて認証が行われる。従って、煩雑なパスワードの入力を行わなくても、確実な認証が行われて、対象データを所定の形態で出力できる。
【０００７】
なお、前記出力装置は、前記管理装置に対して遠隔地に配置されてもよい。
また、前記出力装置は複数であり、前記複数の出力装置の内の任意数の出力装置を前記送信先通信端末に紹介する紹介処理を実施し、前記認証処理では、紹介処理の結果、前記任意数の出力装置のうちから選択された出力装置に前記送信先通信端末からアクセスがあった場合に、該選択された出力装置に通知される該送信先通信端末の前記識別番号により、該送信先通信端末を認証してもよい。
【０００８】
また、前記対象データは、画像を形成するための画像データであり、前記出力装置は、前記対象データを画像化して印刷する印刷装置であってもよい。
【０００９】
また、前記対象データを所定の形態で出力した後に、前記送信元通信端末又は送信先通信端末に課金する課金処理を行ってもよい。
【００１０】
上記目的を達成するために、本発明の第２の観点にかかるデータ出力システムは、送信元通信端末から対象データを受信する管理装置と、該対象データを所定の形態で出力して提供対象者に提供する出力装置とを備えるデータ出力システムであって、
前記管理装置は、
前記対象データと前記提供対象者の使用する送信先通信端末に設定されている固有の識別番号とを前記送信元通信端末から受信する受信手段と、
前記対象データ及び加入者識別番号を記憶する記憶手段と、
前記対象データが存在することを前記送信先通信端末に通知する通知手段と、
前記送信先通信端末から前記出力装置にアクセスがあった場合に、該アクセス時に該出力装置に通知される該送信先通信端末の前記識別番号を該出力装置から受信し、該識別番号により該送信先通信端末を認証する認証手段と、
前記認証された送信先通信端末に前記記憶手段で記憶している前記対象データを該出力装置に送信する送信手段とを備え、
前記出力装置は、前記管理装置から送信された前記対象データを受信して所定の形態で出力する出力手段を備えることを特徴とする。
【００１１】
なお、前記出力装置は、前記管理装置に対して遠隔地に配置されてもよい。
また、前記対象データは、画像を形成するための画像データであり、前記出力装置は、前記対象データを画像化して印刷する印刷装置であってもよい。
【００１２】
上記目的を達成するために、本発明の第３の観点にかかる管理装置は、送信元通信端末から、提供対象者に出力装置を介して提供するための対象データと該提供対象者が使用する送信先通信端末に設定されている固有の識別番号とを受信する手段と、
前記対象データ及び識別番号を記憶する手段と、
前記送信先通信端末に対して前記対象データが存在することを通知する手段と、
前記出力装置との交信で、前記対象データが存在することを通知した結果、該出力装置に前記送信先通信端末からアクセスがあったことを前記識別番号により確認し、確認された場合に、前記記憶している前記対象データを該出力装置に送信する手段と、を備えることを特徴とする。
【００１３】
上記目的を達成するために、本発明の第４の観点にかかる出力装置は、管理装置から与えられた対象データを所定の形態で出力して提供対象者に提供する出力装置であって、
前記管理装置から与えられた前記提供対象者が使用する送信先通信端末の加入者識別番号を記憶する手段と、
当該装置にアクセスがあった場合に該アクセスについて通知されるアクセス相手先の固有の識別番号を前記管理装置に送信し、前記送信先通信端末からアクセスがあったか否かを確認し、該送信先通信端末からアクセスがあったことを確認した場合にそのことを前記管理装置に通知する手段と、
前記通知の結果、前記管理装置から送信された前記対象データを受信して所定の形態で出力する手段とを備えることを特徴とする。
【発明の効果】
【００１４】
本発明によれば、対象データを提供対象者に提供するために、提供対象者が長いパスワードやランダムなパスワードを入力しなくても、認証を確実に行うことができる。よって、提供対象者の負担を軽減できる。
【発明を実施するための最良の形態】
【００１５】
図１は、本発明の実施形態に係るデータ出力システムの概要を示す接続図である。
図２は、図１中のサービスサーバ１１、課金サーバ１２、データベースサーバ１３を示すブロック図である。
図３は、図１中の出力装置２０の構成例を示すブロック図であり、図４は、出力装置２０の外観を示す斜視図である。
【００１６】
このデータ出力システムは、管理装置１０と出力装置２０とを備えている。出力装置２０は、任意の設置場所に設置可能であり、例えば複数の写真店やコンビニエンスストア等に設置される。管理装置１０と出力装置２０とは、例えば公衆回線網等のネットワークＮを介して接続され、それぞれ後述する送信元携帯電話３０或いは送信先携帯電話４０と交信可能になっている。
【００１７】
管理装置１０は、例えばそれぞれコンピュータで構成されたサービスサーバ１１と、課金サーバ１２と、データベース（ＤＢ）サーバ１３とで構築することができる。
【００１８】
各サーバ１１〜１３は、ＣＰＵ（Central  Processing  Unit）１０ａ、ＲＡＭ（Random  Access  Memory）等やハードディスク等で構成された記憶部１０ｂ、記録装置１０ｃ、外部との通信を可能にする伝送制御部１０ｄを備えると共に、必要に応じて入力装置１０ｅ、表示装置１０ｆ、印刷装置１０ｇが組込まれている。入力装置１０ｅは、キーボードやマウス等であり、データの入力やデータの修正に用いることができる。表示装置１０ｆは、ディスプレイ等である。印刷装置１０ｇは、プリンタである。データベースサーバ１３の記憶部１０ｂには、登録されたユーザの情報や出力装置２０の設置場所等の情報が事前に記憶される。
【００１９】
サービスサーバ１１内の伝送制御部１０ｄは、ネットワークＮに接続され、携帯電話や出力装置２０との通信が可能になっている。各課金サーバ１２及びデータベースサーバ１３の伝送制御部１０ｄは、サービスサーバ１１中の伝送制御部１０ｄに接続され、それぞれサービスサーバ１１からデータの入出力が可能になっている。
【００２０】
出力装置２０は、コンビニエンスストアや写真店等に配置され、写真等を印刷して利用者に提供する装置である。
出力装置２０は、ＣＰＵ２０ａ、ＲＡＭ等で構成された記憶部２０ｂ、ハードディスク等で構成された記録装置２０ｃ、外部との通信を可能にする伝送制御部２０ｄ、各種指示を入力するためのスイッチやキー等で構成された入力装置２０ｅ、タッチパネル等の表示装置２０ｆ、及び印刷装置２０ｇが組込まれている。さらに、出力装置２０には、各種メディアのデータを読取るためのメディア読取部２０ｈと、金銭を授受する金銭授受部２０ｉとが、設けられている。
【００２１】
メディア読取部２０ｈは、出力装置２０の筐体に取付けられたディスク挿入部２０ｊに挿入されたディスク等のメディアからデータを読取る機構である。
金銭授受部２０ｉは、出力装置２０の筐体に形成された紙幣挿入口２０ｋ及び硬貨投入口２０ｍと、金銭を計数する図示しない機構とで構成されている。
出力装置２０の筐体には、銭返却口２０ｎ、レシート受取口２０ｐ、写真受取口２０ｑが形成されている。写真受取口２０ｑから、印刷装置２０ｇが印刷した写真を提供対象者に提供する。
【００２２】
次に、この出力システムの動作を、図５〜図１０を参照して説明する。
この出力システムを用いたサービスにより、遠隔地の特定の提供対象者に画像データを写真化して提供するユーザは、事前に登録を行う。
図５は、送信元携帯電話を用いた登録処理を示すフローチャートである。
【００２３】
ユーザは、登録をするために、送信元通信端末である送信元携帯電話３０を使用し、ネットワークＮを介して管理装置１０に電話を掛ける。管理装置１０との通話路が確立された状態で、ユーザは、送信元携帯電話３０の識別符号であるサブスクライバＩＤ及び個人情報等を管理装置１０に送信する（ステップＳ１）。管理装置１０のサービスサーバ１１は、携帯電話３０が送信したサブスクライバズＩＤや個人情報を受信し（ステップＳ２）、これらをデータベースサーバ１３に送信する（ステップＳ３）。データベースサーバ１３は、サブスクライバＩＤ及び個人情報等を受信し（ステップＳ４）、これらを対応させて記憶する（ステップＳ５）。これにより、データベースサーバ１３には、サブスクライバＩＤ及び個人情報等が、逐次蓄積される。
【００２４】
登録の完了したユーザは、写真を形成するための画像データを管理装置１０に送信し、出力装置２０を介して、印刷された写真を指定した提供対象者に提供することができる。印刷された写真を提供するために、送信元携帯電話３０と管理装置１０とは、図６〜７の処理を行う。
【００２５】
図６は、画像データの送受信及び通知処理（その１）を示すフローチャートである。
図７は、画像データの送受信及び通知処理（その２）を示すフローチャートである。
【００２６】
ユーザは、送信元携帯電話３０により、管理装置１０を指定するＵＲＬ（Uniform Resource Locato）を入力し、管理装置１０に対して接続要求を行う（ステップＳ１１）。送信元携帯端末３０は、ＵＲＬとサブスクライバＩＤとを送信する（ステップＳ１２）。管理装置１０のサービスサーバ１１は、接続要求のあることをステップＳ２０で検出し（ステップＳ２０：ＹＥＳ）、ステップＳ２１でサブスクライバＩＤを取り込む（ステップＳ２１）。サービスサーバ１１は、取り込んだサブスクライバＩＤをデータベースサーバ１３に送信し、認証を要求する（ステップＳ２２）。
【００２７】
サブスクライバＩＤを受信して認証要求があったと判断した（ステップＳ２３：ＹＥＳ）データベースサーバ１３は、当該データベースサーバ１３の記憶部１０ｂの記憶内容を読出し、受信したサブスクライバＩＤと同じサブスクライバＩＤが記憶されているか否かを確認することでユーザの認証を行う（ステップＳ２４）。管理装置１０にアクセスしたユーザが登録されている場合には、受信したサブスクライバＩＤと同じサブスクライバＩＤが記憶され、そのサブスクライバＩＤに対応して記憶されている個人情報等により、管理装置１０にアクセスしたユーザが特定される。即ち、認証が成立する。データベースサーバ１３は、認証結果をサービスサーバ１１に送信する（ステップＳ２５）。
【００２８】
サービスサーバ１１は、認証結果を受信し（ステップＳ２６：ＹＥＳ）、認証結果を確認する（ステップＳ２７）。認証が成立したことを確認した場合に、サービスサーバ１１は、画像データの入力を促すための入力画面の表示要求を送信元携帯電話３０に送信する（ステップＳ２８）。
【００２９】
表示要求を受信した（ステップＳ１３：ＹＥＳ）場合、送信元携帯電話３０は入力画面をディスプレイに表示し（ステップＳ１４）、画像データの入力を促す。
【００３０】
送信元携帯電話３０のディスプレイに表示された入力画面に従い、ユーザは、特定の提供対象者に提供する画像データと、その提供者の使用する送信先携帯電話４０の電話番号とを送信元携帯電話３０に入力する。
【００３１】
送信元携帯電話３０は、ユーザによって入力された画像データと電話番号とメールアドレスとをサービスサーバ１１に送信する（ステップＳ１５）。
サービスサーバ１１は、画像データと送信先携帯電話４０の電話番号及びメールアドレスが与えられた場合に（ステップＳ２９：ＹＥＳ）、これらを受信する。サービスサーバ１１は、画像データと送信先携帯電話４０の電話番号及びメールアドレスをデータベースサーバ１３に送信（ステップＳ３０）する。
【００３２】
データベースサーバ１３は、サービスサーバ１１から画像データと送信先携帯電話４０の電話番号及びメールアドレスとを受信したとき（ステップＳ３１：ＹＥＳ）、こられを当該データベースサーバ１３の記憶部１０ｂに、送信元携帯電話３０のサブスクライバＩＤと対応させて書込む（ステップＳ３２）。そして、データベースサーバ１３は、書込みが完了したことを示す完了通知をサービスサーバ１１に送信する（ステップＳ３３）。
【００３３】
サービスサーバ１１は、完了通知が与えられたときにこれを受信し（ステップＳ３４：ＹＥＳ）、確認画面出力要求を送信元携帯電話３０に送信する（ステップＳ３５）。
【００３４】
ステップＳ１６で確認画面出力要求を受信した送信元携帯電話３０は、送信先携帯電話４０の電話番号やメールアドレス等を確認するための確認画面を表示する（ステップＳ１７）。表示の結果、ユーザは、送信先携帯電話４０の電話番号やメールアドレス等を確認し、確認したことを示す確認完了情報を送信元携帯電話３０に入力する。送信元携帯電話３０は、確認完了情報をサービスサーバ１１に送信する（ステップＳ１８）。
【００３５】
確認完了情報が与えられたときに（ステップＳ３６：ＹＥＳ）、サービスサーバ１１は確認完了情報を受信し、送信先携帯電話４０に、提供対象者に提供する画像データがあることを示す情報及び管理装置１０のＵＲＬを含むメールを送信する（ステップＳ３７）。
【００３６】
送信先携帯電話４０は、管理装置１０のＵＲＬを含むメールを受信したときに（ステップＳ４０：ＹＥＳ）、そのメールをディスプレイに表示する（ステップＳ４１）。
【００３７】
以上の処理により、提供対象者に与える画像データが管理装置１０に保存されていることが、提供対象者の使用する送信先携帯電話４０に通知されたことになる。
【００３８】
提供対象者は、送信先携帯電話４０で受信された管理装置１０のＵＲＬを含むメールを読み、管理装置１０のＵＲＬを入力して管理装置１０にアクセスする（ステップＳ５１）。
【００３９】
送信先携帯電話４０からのアクセスがあったときに（ステップＳ６０：ＹＥＳ）、サービスサーバ１１は、例えばその送信先携帯電話４０との交信で送信先携帯電話４０の電話番号を取得し、該電話番号から送信先携帯電話４０を利用する提供対象者の住所等の位置情報を取得する（ステップＳ６１）。なお、電話番号から位置情報を取得しなくても、送信先携帯電話４０に所定の画面を表示させて、現在提供者対象者の居る場所を入力させて位置情報を取得してもよい。
【００４０】
サービスサーバ１１は、取得した位置情報をデータベースサーバ１３に送信し、出力装置２０の設置場所を示す出力装置設置場所の情報を要求する（ステップＳ６２）。
【００４１】
サービスサーバ１１から出力装置設置場所情報の要求があったときに（ステップＳ６３：ＹＥＳ）、データベースサーバ１３は、記憶部１０ｂを検索して、位置情報に示される位置に近い場所に設置された出力装置２０を候補として求め、その設置場所のデータを読出す（ステップＳ６４）。データベースサーバ１３は、設置場所のデータをサービスサーバ１１に送信する（ステップＳ６５）。
【００４２】
サービスサーバ１１は、データベースサーバ１３から設置場所のデータを受信すると（６６：ＹＥＳ）、その受信した設置場所のデータを、対象提供者の最寄りの出力装置２０の設置場所として表示するため画像を、送信先携帯電話４０に送信する（ステップＳ６７）。
送信先携帯電話４０は、サービスサーバ１１が送信した画像を受信したときに（ステップＳ６８：ＹＥＳ）、その画像をディスプレイに表示する（ステップＳ６９）。
【００４３】
提供される画像データが、管理装置１０に記憶されていることが、知らされた提供対象者は、次のようにして、画像データに対応する写真を取得する（図８，〜１０参照）。
【００４４】
図８は、画像データを提供する際の動作を示すフローチャート（その１）である。
図９は、画像データを提供する際の動作を示すフローチャート（その２）である。
図１０は、画像データを提供する際の動作を示すフローチャート（その３）である。
【００４５】
提供対象者は、最寄りの出力装置２０の設置場所に出向き、出力装置２０を操作し、表示装置２０ｆに所定の画面を表示させる（ステップＳ７０）。そして、ステップＳ７１で対象提供者は、送信先携帯電話４０を用いて出力装置２０を発呼する。この発呼は、１回でよい。
【００４６】
送信先携帯電話４０からの着呼があったときに（ステップＳ７２：ＹＥＳ）、出力装置２０は送信先携帯電話４０の電話番号を着信通知から読取り（ステップＳ７３）、その電話番号を示す電話番号情報をサービスサーバ１１に送信する（ステップＳ７４）。
【００４７】
サービスサーバ１１は電話番号情報を受信すると（ステップＳ８０）、その電話番号情報をデータベースサーバ１３に送信して認証要求をする（ステップＳ８１）。データベースサーバ１３は、認証要求があると（ステップＳ８２）、記憶部１０ｂに記憶された電話番号を読出し、認証要求で受信した電話番号が記憶されているかを調べる。前述のステップ３０〜３３で、提供対象者に提供する画像データがある場合には、送信先携帯電話の電話番号と画像データとが対応してデータベースサーバ１３の記憶部１０ｂに記憶されている。
【００４８】
その電話番号を読出した後、データベースサーバ１３の記憶部１０ｂに記憶されている電話番号と認証要求として与えられた電話番号とが一致した場合には、正当な提供対象者が出力装置２０にアクセスをしてきたと判断する。電話番号が一致しない場合に、出力装置２０にアクセスしたものは、正当な提供対象者ではないと判断する（ステップＳ８３）。データベースサーバ１３は、このような認証を行い、認証結果をサービスサーバ１１に送信する（ステップＳ８４）。
【００４９】
サービスサーバ１１は、データベースサーバ１３から認証結果を受信した時に（ステップＳ８５）その認証結果が正当な提供対象者であるか否かを判別して（ステップＳ８６）、認証結果が正当な提供対象者であった場合（ステップＳ８７：ＹＥＳ）、提供対象者に提供するための画像データの要求をデータベースサーバ１３に送信する（ステップＳ８８）。
【００５０】
画像データの要求を受信すると（ステップＳ９０）、データベースサーバ１３は、要求に合致する画像データを記憶部１０ｂから読出す（ステップＳ９１）。つまり、送信先携帯電話４０の電話番号に対応して記憶された画像データが読出される。
【００５１】
データベースサーバ１３は、読出した画像データをサービスサーバ１１に送信する（ステップＳ９２）。
データベースサーバ１３から画像データを受信すると（ステップＳ９３：ＹＥＳ）、サービスサーバ１１は、受信した画像データを出力装置２０に送信する（ステップＳ９４）。
【００５２】
画像データの受信を待つ（ステップＳ７５：ＮＯ）出力装置２０は、画像データを受信すると（ステップＳ７５：ＹＥＳ）、画像データを印刷装置２０ｇにより印刷して写真を出力する（ステップＳ７６）。写真は写真受取口２０ｑから排出され、提供対象者が写真を受け取る。写真を出力した出力装置２０は、サービスサーバ１１に、印刷が完了したことを示す情報を送信する（ステップＳ７７）。サービスサーバ１１は、印刷が完了したことを示す情報を待ち（ステップＳ９５：ＮＯ）、出力装置４０から受信すると（ステップＳ９５：ＹＥＳ）、課金要求を課金サーバ１２に送信する（ステップＳ９６）。
【００５３】
課金要求を受信すると（ステップＳ９７：ＹＥＳ）、課金サーバ１２は送信元携帯電話３０を使用したユーザに対して課金する。具体的には、課金金額を計算し、データベースサーバ１３の記憶部１０ｂに、送信元携帯電話３０のサブスクライバＩＤに対応させてその金額を記憶させる（ステップＳ９８）。
【００５４】
課金処理が終了した後のステップＳ９９で、課金サーバ１２は課金金額と課金終了を示す情報をサービスサーバ１１に送信する。
課金金額と課金終了を示す情報とを待ち（ステップＳ１００：ＮＯ）、課金金額と課金終了を示す情報と受信すると（ステップＳ１００：ＹＥＳ）、サービスサーバ１１は、課金金額を送信元携帯電話３０に送信する（ステップＳ１０１）。送信元携帯電話３０は、課金金額をサービスサーバ１１から受信すると（ステップＳ１１０：ＹＥＳ）、通信元携帯電話３０は、課金金額をディスプレイに表示して処理を終了する（ステップＳ１１１）。
【００５５】
以上のように、本実施形態のデータ出力システムでは、出力装置２０から写真を出力する場合に、送信先携帯電話４０で出力装置２０を発呼するだけで、簡単にかつ確実に提供対象者の認証をすませることができる。これにより、ランダムなパスワードや長いパスワードを入力する必要がなくなり、入力誤りを防止できると共に、提供対象者の負担を軽減できる。
【００５６】
さらに、送信元携帯電話３０及びこれを使用するユーザに対して課金するので、提供対象者に金銭的な負担がかかることがない。また、写真が提供対象者に渡ったことが、送信元携帯電話３０を介して利用者に判るようになる。
【００５７】
なお、本発明は、上記実施形態に限定されるものではなく、種々の変形が可能である。
例えば、管理装置１０は、サービスサーバ１１、課金サーバ１２、データベースサーバ１３の３台のサーバで構成しているが、１台のサーバで構成してもよい。
【００５８】
また、上記実施形態では、送信元携帯電話３０を使用する利用者に課金を課したが、送信先携帯電話４０を使用する提供対象者に課金してもよい。さらに、出力装置２０を商目的として用いずに、課金を行わないようにしてもよい。
【００５９】
また、データベースサーバ１３に複数の画像データを記憶させ、提供対象者がその画像データを選択して写真に印刷させる構成にしてもよい。
【００６０】
また、画像データ以外のデータを提供データとしてデータベースサーバ１３に記録させ、そのデータを写真以外の形態で提供対象者に出力してもよい。例えば音声データ、天気予報の情報、ニュース情報等を記憶して、出力装置２０から出力して提供対象者に渡すようにしてもよい。
【００６１】
また、送信元携帯電話３０、送信先携帯電話４０は、ＰＤＡ、ウェアラブルパソコン、デジタルカメラ等の電話機能を持つ機器に変更が可能である。
【図面の簡単な説明】
【００６２】
【図１】本発明の実施形態に係るデータ出力システムの概要を示す接続図である。
【図２】図１中のサービスサーバ、課金サーバ、データベースサーバを示すブロック図である。
【図３】図１中の出力装置の構成例を示すブロック図である。
【図４】出力装置の外観を示す斜視図である。
【図５】送信元携帯電話を用いた登録処理を示すフローチャートである。
【図６】画像データの送受信及び通知処理（その１）を示すフローチャートである。
【図７】画像データの送受信及び通知処理（その２）を示すフローチャートである。
【図８】画像データを提供する際の動作を示すフローチャート（その１）である。
【図９】画像データを提供する際の動作を示すフローチャート（その２）である。
【図１０】画像データを提供する際の動作を示すフローチャート（その３）である。
【符号の説明】
【００６３】
１０…管理装置、１１…サービスサーバ、１２…課金サーバ、１３…データベースサーバ、２０…出力装置、２０ｄ…伝送制御部、２０ｇ…印刷装置、３０…送信元携帯電話、４０…送信先携帯電話
【図１】
2005285044.tif 000003
【図２】
2005285044.tif 000004
【図３】
2005285044.tif 000005
【図４】
2005285044.tif 000006
【図５】
2005285044.tif 000007
【図６】
2005285044.tif 000008
【図７】
2005285044.tif 000009
【図８】
2005285044.tif 000010
【図９】
2005285044.tif 000011
【図１０】
2005285044.tif 000012